(57)【要約】【課題】システムキッチンに組み込まれたときの外観性の向上を図ることができる冷蔵庫を提供する。【解決手段】システムキッチンの一区画に設置される収納キャビネット９内に冷蔵庫本体１０を収納する。前記冷蔵庫本体１０の前面には扉１１が回動可能に取り付けられている。前記扉１１は、前記冷蔵庫本体１０の前面の略全体と対向する厚肉部４１と、前記厚肉部４１の左側部及び右側部から左方及び右方にそれぞれ突出する一対の薄肉部４２とから構成されており、右側の薄肉部４２に回動中心が位置している。【選択図】図３
2007132635.tif 000002
【特許請求の範囲】
【請求項１】
システムキッチンの一区画に組み込まれ前面に開口を有する冷蔵庫本体と、前記冷蔵庫本体の前面に回動可能に設けられ前記開口を開閉する扉とを備えた冷蔵庫において、
前記扉は、前記冷蔵庫本体の前面の略全体と対向する厚肉部と、前記厚肉部の左側部及び右側部から左方及び右方にそれぞれ突出する一対の薄肉部とから構成され、
前記扉は前記薄肉部に回動中心が位置するように構成されていることを特徴とする冷蔵庫。
【請求項２】
システムキッチンの一区画に組み込まれ後下部に機械室を有する冷蔵庫本体と、前記機械室内に配置される圧縮機及び前記圧縮機を冷却するための冷却ファンとを備えた冷蔵庫において、
前記冷蔵庫本体の下部に設けられ前記冷蔵庫本体と前記一区画の下面との間に前記機械室と連通する空間を形成する複数の脚部と、
前記冷蔵庫本体の下部に設けられ前記空間内を上部通風路と下部通風路とに仕切る仕切板と、
前記冷蔵庫本体の下部に前記空間を塞ぐように設けられ通気口を有するカバー部材とを備えることを特徴とする冷蔵庫。
【請求項３】
システムキッチンの一区画と隣接する他の区画の下部に設けられた蹴り込み部を備え、
前記脚部は、前記蹴り込み部とほぼ同じ高さ寸法を有し、
前記カバー部材は、その前面が前記蹴り込み部の前面と面一となるように構成されていることを特徴とする請求項２記載の冷蔵庫。
【発明の詳細な説明】
【技術分野】
【０００１】
本発明は、システムキッチンの一区画に組み込まれる冷蔵庫に関する。
【背景技術】
【０００２】
システムキッチンは、調理台や流し台、コンロ、食品及び台所用品の収納庫、冷蔵庫等の複数のパーツを隙間なくコンパクトに配置したものであり、外観性の向上、収納量の増大を図ることができるという利点がある（例えば特許文献１参照）。
【特許文献１】特開平４−２１４１７０号公報
【発明の開示】
【発明が解決しようとする課題】
【０００３】
ところが、他のパーツと異なり、冷蔵庫はその周囲に放熱用の空間を設ける必要がある。また、冷蔵庫の扉には、断熱性に優れた厚み寸法が大きいものが用いられている。従って、横開き式の扉の場合は、扉の右端部或いは左端部の回動軌跡を考慮した空間を冷蔵庫本体の右方或いは左方に設ける必要があった。このため、冷蔵庫の周囲には、他のパーツに比べると大きな空間が存在し、その分、外観が損なわれてしまうという問題があった。
【０００４】
本発明は上記事情に鑑みてなされたものであり、その目的は、システムキッチンに組み込まれたときの外観性の向上を図ることができる冷蔵庫を提供することである。
【課題を解決するための手段】
【０００５】
本発明は、システムキッチンの一区画に組み込まれ前面に開口を有する冷蔵庫本体と、前記冷蔵庫本体の前面に回動可能に設けられ前記開口を開閉する扉とを備えた冷蔵庫において、前記扉を、前記冷蔵庫本体の前面の略全体と対向する厚肉部と、前記厚肉部の左側部及び右側部から左方及び右方にそれぞれ突出する一対の薄肉部とから構成し、前記扉を前記薄肉部に回動中心が位置するように構成したことを特徴とする。
【０００６】
また、本発明は、システムキッチンの一区画に組み込まれ後下部に機械室を有する冷蔵庫本体と、前記機械室内に配置される圧縮機及び前記圧縮機を冷却するための冷却ファンとを備えた冷蔵庫において、前記冷蔵庫本体の下部に設けられ前記冷蔵庫本体と前記一区画の下面との間に前記機械室と連通する空間を形成する複数の脚部と、前記冷蔵庫本体の下部に設けられ前記空間内を上部通風路と下部通風路とに仕切る仕切板と、前記冷蔵庫本体の下部に前記空間を塞ぐように設けられ通気口を有するカバー部材とを備えることを特徴とする。
【発明の効果】
【０００７】
本発明によれば、冷蔵庫本体の左右部の空間を扉の薄肉部で隠すことができるため、システムキッチンに冷蔵庫を組み込んだときの外観性の向上を図ることができる。しかも、扉の回動中心が薄肉部に位置するため、回動中心側の扉の端部の回動軌跡を小さくすることができる。
【０００８】
また、本発明によれば、冷蔵庫本体の下部の空間の前面をカバー部材で塞いだため、外観製の向上を図ることができる。しかも、冷蔵庫本体の下部の空間を機械室内の圧縮機を冷却するための風の通路として利用することができる。
【発明を実施するための最良の形態】
【０００９】
以下、本発明の一実施形態について図面を参照しながら説明する。図１は本実施形態に係る冷蔵庫が組み込まれたシステムキッチンの一部を示している。図１において、システムキッチン１は、外枠２と、前記外枠２の上に配置された調理台３と、前記外枠２内の各区画に配置された複数の収納庫４、冷蔵庫５等を備えている。図１では、２個の収納庫４の間に冷蔵庫５が配置された様子を示している。
【００１０】
前記収納庫４は、いずれも収納キャビネット内に配置された引出式の上部容器及び下部容器（いずれも図示せず）から構成されている。上部容器及び下部容器は、それぞれ前面に扉６及び７を有している。尚、外枠２のうち各収納庫４の下部は蹴り込み部８となっている。蹴り込み部８の前面は前記扉６及び７の前面よりもやや奥（後方）に位置している。
【００１１】
一方、図２ないし図４に示すように、冷蔵庫５は、収納キャビネット９内に配置された冷蔵庫本体１０と前記冷蔵庫本体１０の前面に取付けられた扉１１とを備えている。収納キャビネット９は、左右側板１２，１３、底板１４、前上部補強板１５、後上部補強板１６から構成されている（図３では前上部補強板１５を省略している）。左右側板１２，１３の下部には、前記蹴り込み部８に合わせて凹部１２ａ，１３ａがそれぞれ形成されている。尚、図２及び図３中、符号「Ｗ」はシステムキッチン１の後部に位置する壁を示している。
【００１２】
冷蔵庫本体１０は、外箱１７と内箱１８との間に断熱材１９を充填することにより構成されている。前記外箱１７の左右側部は外箱１７の下面よりも下方まで延びている。このため、冷蔵庫本体１０の底面部分は、外箱１７の左右側部の下端部よりもやや上方に位置する構成となっている。また、冷蔵庫本体１０の後下部は上方に窪んでおり、その下方の空間は機械室２０とされている。前記機械室２０の後面は通気口（図示せず）を有する後面カバー２１により塞がれている。前記機械室２０内には圧縮機２２及びこの圧縮機２２を冷却するための冷却ファン２３及びファンモータ２４が配置されている。
【００１３】
図４及び図５に示すように、前記外箱１７の左右側部の下端部及び前端部は、それぞれ内側に折曲されてフランジ部２５及び２６が形成されている。また、前記フランジ部２５の前端部は上方に折曲されて取付片部２７が形成されている。前記取付片部２７の一部は前記フランジ部２６の後面に当接している。
【００１４】
左右のフランジ部２５の間には、仕切板２８及び圧縮機取付台２９が前後に並んでねじ止めされている。前記圧縮機２２は前記圧縮機取付台２９上に固定されている。また、左右のフランジ部２５の下面には、仕切板２８及び圧縮機取付台２９を介して前脚部３０及び後脚部３１がそれぞれ取付けられている。後述するように、冷蔵庫本体１０の下面と仕切板２８との間の空間は機械室２０に連通する上部通風路５３として機能する。
【００１５】
図２に示すように、冷蔵庫本体１０の内部空間は食品貯蔵用の冷蔵室３２として機能しており、その前面に開口３３を有している。前記冷蔵室３２内の上部には冷却器３４及び霜受け皿部３５が配置されている。霜受け皿部３５の後部には排水口３６が形成されており、前記排水口３６から排出される水は冷蔵室３２内の奥部に設けられた排水ダクト３７によって冷蔵室３２内の下部の霜受け凹部３８に導かれるようになっている。また、冷蔵室３２内には複数の棚板３９が配置されている。
【００１６】
前記扉１１は前記開口３３を開閉するためのものであり、冷蔵庫本体１０の前面右部に回動可能に取付けられている。扉１１は冷蔵庫本体１０の前面と対向する厚肉部４１と、前記厚肉部４１の左右両端部から左方及び右方に突出する一対の薄肉部４２とから構成されている。前記厚肉部４１の前面上部には把持部４３が設けられている。薄肉部４２は、厚肉部４１の左右両端部の前部に位置しており（図３参照）、厚肉部４１の前面と薄肉部４２の前面とは面一となるように構成されている。
【００１７】
図４及び図６に示すように、前記扉１１は、上部ヒンジ４４及び下部ヒンジ４５によって前記冷蔵庫本体１０に回動可能に取付けられている。上部ヒンジ４４はヒンジ主部４４ａと、前記ヒンジ主部４４ａの一端部から前記ヒンジ主部４４ａと直交方向に延びる舌部４４ｂとから構成されている。上部ヒンジ４４の舌部４４ｂは扉１１の右の薄肉部４２の上面にヒンジピン４６を介して回動可能に取付けられており、ヒンジ主部４４ａは冷蔵庫本体１０の上面の右前部にねじ４７により固定されている。
【００１８】
下部ヒンジ４５は、取付片部４５ａとその上端から前方に突出する略Ｌ字状のヒンジ主部４５ｂとから構成されている。ヒンジ主部４５ｂの先端は扉１１の右の薄肉部４２の下面にヒンジピン４８を介して回動可能に取付けられており、取付片部４５ａは、冷蔵庫本体１０の底面部の前面にねじ４９により固定されている。以上により、扉１１は、右側の薄肉部４２を上下に貫通する回動中心を中心に回動する。
【００１９】
上記冷蔵庫本体１０は次のように収納キャビネット９に収納される。まず、収納キャビネット９の底板１４に後部固定具５１を固定する。そして、後脚部３１が前記後部固定具５１に嵌るまで冷蔵庫本体１０を収納キャビネット９に押し込む。続いて、前脚部３０の前方から前部固定具５２を嵌め込み当該固定具５２を底板１４上にねじ止めする。この結果、冷蔵庫本体１０は収納キャビネット９の底板１４に固定される。
【００２０】
このとき、冷蔵庫本体１０と収納キャビネット９の左右側板１２，１３との間には所定の空間Ｓが存在する。また、底板１４と仕切板２８との間には下部通風路５４として機能する空間が形成される。そして、薄肉部４２の先端は、収納キャビネット９の左右側板１２，１３の前端部の前方に位置し且つ前記空間Ｓの前面は前記扉１１の薄肉部４２で塞がれた状態となる。また、前記扉１１の前面は、収納庫４の前面の扉６、７の前面と同一面上に位置する。
【００２１】
尚、上述したように、仕切板２８と冷蔵庫本体１０の底面との間には上部通風路５３が形成されている。つまり、本実施例では、仕切板２８によって、冷蔵庫本体１０の底面と底板１４との間の空間は上部通風路５３及び下部通風路５４に仕切られる。また、本実施例では、外箱１７の左右側部のうち冷蔵庫本体１０の底面よりも下方に突出する部分及び前脚部３０及び後脚部３１が、冷蔵庫本体１０と収納キャビネット９の底板１４との間に空間を形成する脚部として機能する。前記上部通風路５３及び下部通風路５４は、それぞれ排気ダクト及び吸気ダクトとして機能する。
【００２２】
続いて、冷蔵庫本体１０の下部前面に下部カバー５５（カバー部材に相当）を取り付ける。下部カバー５５は多数の通気口５６を有しており、外箱のフランジ２６や取付片部２７にねじ止めされている。下部カバー５５の左右両端部には後方に折り曲げ形成されたクランク状の嵌め込み部５７が設けられている。冷蔵庫本体１０を収納キャビネット９に収納したとき、前記嵌め込み部５７は収納キャビネット９の左右両側板の下部前方に位置し、前記嵌め込み部５７の後端部は収納キャビネット９の左右側板の内面に沿うようになっている。以上の構成により、上部通風路５３及び下部通風路５４の前面開口は下部カバー５５によって塞がれる。また、前脚部３０は前記下部カバー５５に隠れて前方から視認できない状態となる。このとき、下部カバー５５の前面は、前記蹴り込み部８の前面と略同一平面上に位置するようになっている。
【００２３】
上記構成においては、冷却ファン２３が回転すると、その送風作用により後面カバー２１の通気口から機械室２０内に空気が吸い込まれ圧縮機２２に吹き付けられる。圧縮機２２に吹き付けられた空気は、矢印Ａで示す方向に上部通風路５３内を前方に向かって進み、下部カバー５５の通気口５６から外部に排出される。一方、後面カバー２１と壁Ｗとの間の空間は、機械室２０内に空気が吸い込まれることにより負圧となる。このため、矢印Ｂで示すように通気口５６から下部通風路５４内に空気が流入し、前記空間に向かう。このように、空気が循環することにより圧縮機２２が冷却される。
【００２４】
このように、本実施例においては、収納キャビネット９に収納された冷蔵庫本体１０の下部に形成される空間を冷却風の通風路として利用したため、無効空間の有効利用を図ることができる。この場合、前記空間の前面を下部カバー５５で塞いだ。また、冷蔵庫本体１０の左右部に生じる空間Ｓを扉１１の薄肉部４２で塞いだ。従って、冷蔵庫本体１０の周囲部に存在する空間によって美観が損なわれることがなく、外観性の向上を図ることができる。
【００２５】
また、扉１１の回動中心を薄肉部４２に設けたことにより、回動中心付近の扉１１の回動軌跡を小さくすることができる。従って、扉１１の回動中心付近に設ける必要がある、当該扉１１の回動軌跡を考慮した空間を小さくすることができる。
しかも、収納キャビネット９に収納された冷蔵庫５の前面とシステムキッチン１を構成する他の収納庫４の前面、下部カバー５５の前面と蹴り上げ部８の前面とを同一面上に位置させたため、システムキッチン１全体の調和を図ることができる。
【００２６】
尚、本発明は上記した実施形態に限定されるものではなく、例えば次のような変形が可能である。
冷蔵庫は、冷凍庫、ワインセラー等の食品貯蔵庫を含むものとする。また、冷凍室や冷蔵室等、２個以上の貯蔵室を備えた冷蔵庫であっても良い。
本発明は、両面開きの扉を備えた冷蔵庫にも適用できる。
【図面の簡単な説明】
【００２７】
【図１】本発明の一実施形態を示すシステムキッチンの一部の斜視図
【図２】収納キャビネット及び調理台と共に示す冷蔵庫の縦断側面図
【図３】収納キャビネットの前上部補強板を取り除いて示す冷蔵庫の上面図
【図４】収納キャビネットと冷蔵庫との関係を説明するための図
【図５】冷蔵庫本体の下部を示す縦断面図
【図６】下部ヒンジの周辺の下部カバー及び冷蔵庫本体を拡大して示す斜視図
【符号の説明】
【００２８】
図面中、１はシステムキッチン、５は冷蔵庫、１０は冷蔵庫本体、１１は扉、２０は機械室、２２は圧縮機、２３は冷却ファン、２８は仕切板、３０は前脚部、３１は後脚部、３３は開口、４１は厚肉部、４２は薄肉部、５３は上部通風路、５４は下部通風路、５５は下部カバー（カバー部材）を示す。
【図１】
2007132635.tif 000003
【図２】
2007132635.tif 000004
【図３】
2007132635.tif 000005
【図４】
2007132635.tif 000006
【図５】
2007132635.tif 000007
【図６】
2007132635.tif 000008